(57)【要約】【課題】  大画面表示器を備えた複数のプラント監視装置の相互間の協調作業を円滑に行えるようにしてオペレータの負担を軽減したプラント監視制御システムを提供する。【解決手段】  プラント１１，２１を監視するプラント監視装置１２，２２が通信ネットワーク４１を介して接続され、各プラント監視装置１２，２２はコントローラ１３，２３、表示制御装置１４，２４、大画面表示器１５，２５を備えており、各表示制御装置１４，（２４）は、他のプラント監視装置２２，（１２）の表示制御装置２４，（１４）で作成された他のプラント２１，（１１）に関する監視画面を通信ネットワーク４１を介して取り込んで自己の大画面表示器１５，（２５）に出力するようにしている。【選択図】        図１
2005141617.tif 000002
【特許請求の範囲】
【請求項１】
プラントを監視する複数のプラント監視装置が通信ネットワークを介して互いに接続されており、上記各プラント監視装置は、上記プラントを制御するとともにプラントで得られた情報を収集するコントローラと、このコントローラで収集された各種の情報に基づいてプラント監視用の監視画面を作成する表示制御装置と、この表示制御装置で作成された監視画面を表示する大画面表示器とを備え、かつ、上記各表示制御装置は、他のプラント監視装置の表示制御装置に対してアクセスして当該表示制御装置で作成された他のプラントに関する監視画面を上記通信ネットワークを介して取り込んで自己の大画面表示器に出力するものであり、上記大画面表示器に自他のプラントの監視画面を共に表示することでプラント監視装置間で協調作業が行なえるようにしていることを特徴とするプラント監視制御システム。
【請求項２】
上記大画面表示器は、大画面を複数連結したマルチスクリーン大画面表示器であることを特徴とする請求項１に記載のプラント監視制御システム。
【請求項３】
上記各プラント監視装置にはＩＰ電話がそれぞれ設けられており、各プラント監視担当のオペレータ相互間で音声による意志疎通が図れるようにしていることを特徴とする請求項１または請求項２に記載のプラント監視制御システム。
【請求項４】
上記各プラント監視装置にはプラントの実際の現場状況を撮影するＩＴＶ撮影装置が設けられており、上記表示制御装置は、自他のプラントの監視画面と共に上記ＩＴＶ撮影装置で撮影された映像を上記大画面表示器に出力するように構成されていることを特徴とする請求項１ないし請求項３のいずれか１項に記載のプラント監視制御システム。
【請求項５】
上記表示制御装置は、他のプラントに関する制御情報を作成して大画面表示器に出力するとともに、この大画面表示器に表示された他のプラントに関する制御情報が指定された場合には、この制御情報を上記通信ネットワークを通じて該当する他のプラント監視装置に対して送信するように構成されていることを特徴とする請求項１ないし請求項４のいずれか１項に記載のプラント監視制御システム。
【請求項６】
監視下にある自己プラントを制御するとともに上記自己プラントの制御情報を収集するコントローラと、通信ネットワークを介して上記自己プラント以外の他のプラントの制御装置に対してアクセスすることが可能で、しかも入手したプラントの制御情報からプラント監視用の監視画面を作成する表示制御装置と、上記表示制御装置で作成された監視画面を複数個同時に表示できる大画面表示器とを備え、上記表示制御装置は、上記通信ネットワークを介して収集した他のプラントに関する制御情報と上記コントローラが収集した自己プラントに関する制御情報とに基づいて自己プラントと他のプラントに関わる監視画面を作成し、上記大画面表示器が上記自己プラントと他のプラントに関わる監視画面を共に表示することで自己プラントと他のプラントとの間の監視作業を協調して行うことを特徴とするプラント監視装置。
【発明の詳細な説明】
【技術分野】
【０００１】
本発明は、プラント監視用として大画面を利用したプラント監視装置の相互間の協調作業を円滑に行えるようにしたプラント監視制御システムに関する。
【背景技術】
【０００２】
従来、プラントの稼働状態を監視するプラント監視装置にあっては、上記プラントを構成する各種の機器類で得られた情報に基づいて作成されたプラント監視用の画面を表示する大画面表示器を備えたものがある。そして、この大画面表示器には、プラント全体の監視画面やプラント内の機器類の局部的な監視画面など、複数の監視画面をオーバーレイで表示できるようにしている。
【０００３】
このように、大画面表示器に多数の監視画面をオーバーレイで表示した場合、画像の一部あるいは全部が重なり合って、オペレータにとって現在監視対象としたい画面が全く見えなくなったり、あるいは見づらくなるといった不都合が起こる。
【０００４】
そのため、従来技術では、オーバーレイで表示されている画面を個々に指定して、その指定した画面を任意に移動させたり、画面を縮小したり消去したりするなどの操作を簡単に行えるようにし、これによってオペレータのプラント監視作業の負担を軽減した装置が提案されている（例えば、特許文献１参照）。
【０００５】
【特許文献１】特開２００１−１９５１２０号公報
【発明の開示】
【発明が解決しようとする課題】
【０００６】
ところで、例えば水処理プラントにおいては、水処理の順序に従って互いに離れた複数箇所に設置された各プラントについて、前後の水処理状況を監視、把握するといったことが必要になる場合がある。また、例えば各種の生産プラントにおいては、並列して配置された複数のプラント相互間で情報を交換して生産効率、作業効率等を比較して改善を図りたい場合もある。このような場合、プラント監視装置の相互間で各プラントの情報を入手して協調作業を円滑に行うことができれば、複数のプラント全体の監視体勢を一層充実させることができるので都合がよい。
【０００７】
しかし、上記の特許文献１に記載されているような従来技術は、プラント監視装置が備える大画面表示装置に表示されている監視画面に関してオペレータのプラント監視作業の負担を軽減することができるものの、複数のプラント監視装置相互間で各プラントの情報を入手して協調作業を円滑に行えるようにしたものではない。
【０００８】
したがって、各プラントの監視担当のオペレータは、他のプラントの状況を把握するためには、その都度、他のプラントのオペレータに電話連絡してプラント相互の状況を把握するなどの必要が生じ、未だオペレータの負担軽減を十分に図れていないのが現状である。
【０００９】
また、従来、複数のプラント間で協調作業を円滑に行うシステムを構築するには、プラント監視装置に加えて、それらのプラント監視装置の情報を統合監視するシステムが別途必要となり、その分コストがかかるという課題もある。
【００１０】
本発明は、上記の課題を解決するためになされたもので、大画面表示器を備えた複数のプラント監視装置の相互間の協調作業を円滑に行えるようにしてオペレータの負担を軽減し、かつ、徒にコストアップを招来することなく実現可能なプラント監視制御システムを提供することを目的とする。
【課題を解決するための手段】
【００１１】
上記の目的を達成するために、本発明のプラント監視制御システムは、プラントを監視する複数のプラント監視装置が通信ネットワークを介して互いに接続されており、上記各プラント監視装置は、上記プラントを構成する機器類を制御するとともに上記各機器類で得られた情報を収集するコントローラと、このコントローラで収集された各種の情報に基づいてプラント監視用の監視画面を作成する表示制御装置と、この表示制御装置で作成された監視画面を表示する大画面表示器とを備え、かつ、上記各表示制御装置は、他のプラント監視装置の表示制御装置に対してアクセスして当該表示制御装置で作成された他のプラントに関する監視画面を上記通信ネットワークを介して取り込んで自己の大画面表示器に出力するものであり、上記大画面表示器に自他のプラントの監視画面を共に表示することでプラント監視装置間で協調作業が行えるようにしていることを特徴としている。
【００１２】
この場合、上記大画面表示器としては、大画面を複数連結したマルチスクリーン大画面表示器を適用してもよい。また、各プラント監視装置にはＩＰ電話をそれぞれ設けたり、ＩＴＶ(Ｉｎｄｕｓｔｒｉａｌ  Ｔｅｌｅｖｉｓｉｏｎ)撮影装置を設けてこれで撮影されたプラントの映像を大画面表示器に表示する構成としてもよい。さらに、表示制御装置により、他のプラントに関する制御情報を作成して大画面表示器に表示し、この表示された他のプラントに関する制御情報が指定された場合には、この制御情報を通信ネットワークを通じて該当する他のプラント監視装置に対して送信する構成としてもよい。
【発明の効果】
【００１３】
本発明によれば、各々のプラント監視装置において自他のプラントに関する監視情報を共有することができる。このため、プラント監視装置の相互間で協調作業を円滑に行うことができ、従来に比べてプラント監視の際のオペレータの負担が軽減されるとともに、各プラントの監視体勢を一層充実させることが可能になる。
【００１４】
この場合、大画面表示器としてマルチスクリーン大画面表示器を適用すれば、必要に応じてプラント監視用の画面をあたかも一つの大画面として表示したり、画面分割して各プラントの監視画面を並べて表示できるので、協調作業を一層円滑に行い得る。また、各プラント監視装置にＩＰ電話をそれぞれ設けることで各オペレータ間で音声による意志疎通を図ることができる。また、ＩＴＶ撮影装置を設けてこれで撮影された映像を大画面表示器に表示すれば、各プラントの実際の現場状況を一層詳細に把握することができるので、協調作業をさらに円滑に行い得る。
【００１５】
さらにまた、大画面表示器に表示されている他のプラントに関する制御情報が指定された場合には、この制御情報を通信ネットワークを通じて該当する他のプラント監視装置に対して送信できるので、各々のプラント監視装置で他のプラントの監視だけでなく制御を行うことが可能になる。このため、各プラントのオペレータへの連絡等の手間が省けてオペレータの負担が軽減されるとともに、各プラント制御を迅速に行える。しかも、プラント監視装置の情報を統合監視するシステムを別途構築する必要がないので、比較的安価に実施することができる。
【発明を実施するための最良の形態】
【００１６】
実施の形態１．
図１はこの実施の形態１におけるプラント監視制御システムの全体構成を示すブロック図である。
【００１７】
各機場１０，２０に設置されたプラント１１，２１ごとにプラント１１，２１を監視するプラント監視装置１２，２２が設けられている。各々のプラント監視装置１２，２２は、プラント１１，２１を構成する図示しない各種の機器類を制御するとともに各機器類で得られた情報を収集するコントローラ１３，２３と、各コントローラ１３，２３で収集された各種の情報に基づいてプラント監視用の種々の監視画面を作成する表示制御装置１４，２４と、この表示制御装置１４，２４で作成された監視画面を表示する大画面表示器１５，２５と、この大画面表示器１５，２５とは別にコントローラ１３，２３で得られたプラント１１，２１の各種情報を表示するＣＲＴ等を有するモニタ機器１６，２６とを備えている。
【００１８】
そして、各プラント監視装置１２，２２を構成する上記のコントローラ１３，２３、表示制御装置１４，２４、およびモニタ機器１６，２６は制御ＬＡＮ１７，２７を介して互いに接続され、さらに各々の制御ＬＡＮ１７，２７は通信ネットワーク４１に接続されている。
【００１９】
上記の各表示制御装置１４，２４は、オペレータからの入力指令を受け付けるための図示しないマウスキーボードなどの操作部を備えており、この操作部から入力された指示に基づいて、自己のプラント１１，２１に関する監視画面を表示するだけでなく、他のプラント監視装置１２，２２の表示制御装置１４，２４に対してアクセスをして当該表示制御装置１４，２４で作成された他のプラント１１，２１に関する監視画面を自己の大画面表示器１５，２５に表示するようになっている。
【００２０】
また、モニタ機器１６，２６は、オペレータからの入力指令を受け付けるための図示しないマウスキーボードなどの操作部を備えており、この操作部から入力されたメッセージを他のプラント監視装置１２，２２の表示制御装置１４，２４に対して送信するように構成されている。
【００２１】
次に上記構成のプラント監視制御システムの動作について説明する。
例えば一方の機場１０のプラント監視装置１２において、オペレータが表示制御装置１４の図示しないマウスキーボードなどの操作部を操作して大画面表示器１５上に表示されている他方の機場２０のプラント２１に関するボタンやメニュー等を選択すると、表示制御装置１４からその選択されたボタンやメニューに応じた内容のリクエストが制御ＬＡＮ１７から通信ネットワーク４１を介して他方の機場２０のプラント監視装置２２に送られ、さらに、制御ＬＡＮ２７を介して表示制御装置２４に与えられる。
【００２２】
表示制御装置２４は、一方の機場１０のプラント監視装置１２から送られてきたリクエストの内容に応じて、当該プラント２１に関する監視画面の情報を作成し、この監視画面の情報を制御ＬＡＮ２７から通信ネットワーク４１を介して一方の機場１０のプラント監視装置１２に送る。この監視画面の情報は制御ＬＡＮ１７を介して表示制御装置１４に取り込まれるので、これに応じて表示制御装置１４は、他方の機場２０のプラント２１に関する監視画面を自己の大画面表示器１５に表示する。
【００２３】
また、一方の機場１０のプラント監視装置１２において、オペレータがモニタ機器１６の操作部を操作して他方の機場２０のプラント２１に関するメッセージを入力すると、この入力されたメッセージが制御ＬＡＮ１７から通信ネットワーク４１を介して他方の機場２０のプラント監視装置２２に送られ、さらに、制御ＬＡＮ２７を介して表示制御装置２４に与えられる。これに応じて、表示制御装置２４は、このメッセージを大画面表示器２５に表示する。
【００２４】
他方の機場２０のプラント監視装置２２においても同様に、オペレータが表示制御装置２４の図示しないマウスキーボードなどの操作部を操作して大画面表示器２５上に表示されている一方の機場１０のプラント１１に関するボタンやメニュー等を選択すると、一方の機場１０のプラント１１に関する監視画面が同じ大画面表示器２５に表示される。また、他方の機場２０のプラント監視装置２２のモニタ機器２６の操作部を操作して一方の機場１０のプラント１１に関するメッセージを入力すると、一方のプラント監視装置１２の大画面表示器１５にそのメッセージが表示される。
【００２５】
このように、この実施の形態１では、各々のプラント監視装置１２，２２において、その大画面表示器１５，２５に自他のプラント１１，２１の監視画面を共に表示することで、各々のプラント監視装置１２，２２において自他のプラント１１，２１の監視情報を共有することができる。このため、プラント監視装置１２，２２の相互間で協調作業を円滑に行うことができ、従来に比べてプラント監視の際のオペレータの負担が軽減されるとともに、各プラント１１，２１の監視体勢を一層充実させることが可能になる。
【００２６】
実施の形態２．
図２はこの実施の形態２におけるプラント監視制御システムの全体構成を示すブロック図であり、図１に示した実施の形態１と対応する構成部分には同一の符号を付す。
【００２７】
この実施の形態２におけるプラント監視制御システムの特徴は、各プラント監視装置１２，２２を構成する表示制御装置１４，２４がオペレータの指示によって自他のプラント１１，２１の監視画面を大画面表示器１５，２５に共に表示するだけでなく、自他のプラント１１，２１に関する制御情報（例えば、プラント１１，２１を構成する各種機器のオン／オフ動作の制御情報など）を画像情報として作成して大画面表示器１５，２５に出力するとともに、この大画面表示器１５，２５に表示された他のプラント１１，２１に関する制御情報が指定された場合には、この制御情報を通信ネットワーク４１を通じて該当する他のプラント監視装置１２または２２に対して送信するように構成されていることである。
【００２８】
したがって、例えば一方の機場１０のプラント監視装置１２の大画面表示器１５に表示されている他方の機場２０のプラント２１に関する制御情報ｐをオペレータが指定すると、図中一点鎖線で示すように、この制御情報ｐが制御ＬＡＮ、通信ネットワーク４１を介して該当する他方のプラント監視装置２２に対して送信され、さらに、この制御情報ｐは制御ＬＡＮ２７を介してコントローラ２３に送られる。コントローラ２３はこの送信されてきた制御情報ｐに基づいてプラント２１を制御する。
【００２９】
このように、この実施の形態２では、大画面表示器１５，２５に表示されている他のプラント１１，２１に関する制御情報が指定された場合には、この制御情報を通信ネットワーク４１を通じて該当する他のプラント監視装置１２または２２に対して送信できるので、各々のプラント監視装置１２，２２で自他のプラント１１，２１を監視するだけでなく、自他のプラント１１，２１の制御を行うことが可能になる。このため、各プラント１１，２１のオペレータへの連絡等の手間が省けてオペレータの負担が軽減されるとともに、各プラント制御を迅速に行える。しかも、プラント監視装置１２，２２の情報を統合監視するシステムを別途構築する必要がないので、比較的安価に実施することができる。
【００３０】
その他の構成および動作は、実施の形態１の場合と基本的に同じであるから、ここでは詳しい説明は省略する。
【００３１】
実施の形態３．
図３はこの実施の形態３におけるプラント監視制御システムの全体構成を示すブロック図であり、図１に示した実施の形態１と対応する構成部分には同一の符号を付す。
【００３２】
この実施の形態３におけるプラント監視制御システムの特徴は、大画面表示器が大画面を複数連結したマルチスクリーン大画面表示器１５ａ，２５ａで構成されていることである。
【００３３】
大画面表示器としてマルチスクリーン大画面表示器１５ａ，２５ａを適用すれば、必要に応じてプラント監視用の画面をあたかも一つの大画面として表示したり、あるいは画面ごとに分割して各機場１０，２０に設けられているプラント１１，２１の監視画面を並べて表示することができる。そして監視画面を並べて表示したときには画面の切り替えを行うことなく各プラント１１，２１の状況を一度に把握することができる。したがって、協調作業を一層円滑に行うことができる。
【００３４】
その他の構成および動作は、実施の形態１の場合と基本的に同じであるから、ここでは詳しい説明は省略する。
【００３５】
実施の形態４．
図４はこの実施の形態４におけるプラント監視制御システムの全体構成を示すブロック図であり、図１に示した実施の形態１と対応する構成部分には同一の符号を付す。
【００３６】
この実施の形態４におけるプラント監視制御システムの特徴は、各プラント監視装置１２，２２にＩＰ電話１８，２８が設けられるとともに、各ＩＰ電話１８，２８がそれぞれ制御ＬＡＮ１７，２７に接続されており、これによって各プラント監視装置１２，２２の相互間で電話連絡できるようにしていることである。
【００３７】
このように、各プラント監視装置１２，２２にＩＰ電話１８，２８を設置すれば、各機場１０，２０のオペレータは、プラント監視装置１２，２２の大画面表示器１５，２５に表示されている自他のプラント１１，２１の監視画面を見て各プラント１１，２１の稼働状況を監視しながら、ＩＰ電話１８，２８を用いて音声による意志疎通を図ることができるので、より確実な協調作業を行うことができる。
【００３８】
その他の構成および動作は、実施の形態１の場合と基本的に同じであるから、ここでは詳しい説明は省略する。
【００３９】
実施の形態５．
図５はこの実施の形態５におけるプラント監視制御システムの全体構成を示すブロック図であり、図１に示した実施の形態１と対応する構成部分には同一の符号を付す。
【００４０】
この実施の形態５におけるプラント監視制御システムの特徴は、各プラント監視装置１２，２２に各プラント１１，２１の実際の現場状況を撮影するＩＴＶ撮影装置１９，２９が設けられており、各ＩＴＶ撮影装置１９，２９がそれぞれ制御ＬＡＮ１７，２７に接続されている。そして、各表示制御装置１４，２４は、自他のプラント１１，２１の監視画面に加えて、各ＩＴＶ撮影装置１９，２９で撮影された映像を共に大画面表示器１５，２５に出力するようになっている。
【００４１】
このように、各プラント監視装置１２，２２にＩＴＶ撮影装置１９，２９を設置すれば、各機場１０，２０のオペレータは、プラント監視装置１２，２２の大画面表示器１５，２５に表示されている自他のプラント１１，２１の監視画面を見て各プラント１１，２１の状況を監視できるだけでなく、各ＩＴＶ撮影装置１９，２９で撮影された映像をそれぞれ大画面表示器１５，２５で観察できるので、各プラント１１，２１の実際の現場状況を一層詳細に把握することができる。このため、協調作業をさらに一層円滑に行うことができる。
【００４２】
その他の構成および動作は、実施の形態１の場合と基本的に同じであるから、ここでは詳しい説明は省略する。
【００４３】
実施の形態６．
図６はこの実施の形態６におけるプラント監視制御システムの全体構成を示すブロック図であり、図５に示した実施の形態５と対応する構成部分には同一の符号を付す。
【００４４】
この実施の形態６におけるプラント監視制御システムの特徴は、各表示制御装置１４，２４がオペレータの指示により自他のプラント１１，２１の監視画面、ならびに各ＩＴＶ撮影装置１９，２９で撮影された自他のプラント１１，２１の現場状況を示す映像を大画面表示器１５，２５に表示するだけでなく、実施の形態２の場合と同様に、自他のプラント１１，２１に関する制御情報（例えば、プラント１１，２１を構成する各種機器のオン／オフ動作の制御情報など）を画像情報として作成して大画面表示器１５，２５に出力するとともに、この大画面表示器１５，２５に表示された他のプラント１１，２１に関する制御情報が指定された場合には、この制御情報を通信ネットワーク４１を通じて該当する他のプラント監視装置１２または２２に対して送信するように構成されていることである。
【００４５】
この実施の形態６では、自他のプラント１１，２１の監視画面、ならびに各ＩＴＶ撮影装置１９，２９で撮影された自他のプラント１１，２１の現場状況を示す映像を観察しながら、これらのより詳細な情報に基づいて自他のプラント１１，２１の制御を行うことが可能になる。このため、各プラント１１，２１のオペレータへの連絡等の手間が省けてオペレータの負担が軽減されるとともに、各プラント制御を迅速に行える。しかも、プラント監視装置の情報を統合監視するシステムを別途構築する必要がないので、比較的安価に実現することができる。
【００４６】
その他の構成および動作は、実施の形態５の場合と基本的に同じであるから、ここでは詳しい説明は省略する。
【００４７】
なお、上記の各実施の形態１〜６では、説明の便宜上、通信ネットワーク４１には２つのプラント監視装置１２，２２が接続されている場合を示したが、本発明はこのような態様に限定されるものではなく、さらに多数のプラント監視装置が通信ネットワーク４１に接続された構成であってもよいのは勿論である。
【図面の簡単な説明】
【００４８】
【図１】本発明の実施の形態１におけるプラント監視制御システムの全体構成を示すブロック図である。
【図２】本発明の実施の形態２におけるプラント監視制御システムの全体構成を示すブロック図である。
【図３】本発明の実施の形態３におけるプラント監視制御システムの全体構成を示すブロック図である。
【図４】本発明の実施の形態４におけるプラント監視制御システムの全体構成を示すブロック図である。
【図５】本発明の実施の形態５におけるプラント監視制御システムの全体構成を示すブロック図である。
【図６】本発明の実施の形態６におけるプラント監視制御システムの全体構成を示すブロック図である。
【符号の説明】
【００４９】
１０，２０  機場
１１，２１  プラント
１２，２２  プラント監視装置
１３，２３  コントローラ
１４，２４  表示制御装置
１５，２５  大画面表示器
１５ａ，２５ａ  マルチスクリーン大画面表示器
１８，２８  ＩＰ電話
１９，２９  ＩＴＶ撮影装置
【図１】
2005141617.tif 000003
【図２】
2005141617.tif 000004
【図３】
2005141617.tif 000005
【図４】
2005141617.tif 000006
【図５】
2005141617.tif 000007
【図６】
2005141617.tif 000008